【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
回転軸線（２４）を含む回転機械（１０）で使用するためのシール組立体（５２）であって、当該シール組立体（５２）が、
軸方向に延在する２次シール面（８０）を含むシールハウジング（５８）と、
前記シールハウジング（５８）に対して軸方向に移動できるように前記シールハウジング（５８）に結合された固定シールリング組立体（５６）であって、半径方向に延在する面シール面（７４）と反対側の第２の面とを有する固定シールリング組立体（５６）と、
前記第２の面に隣接する付勢リング（７２）であって、前記シールハウジング（５８）に対して軸方向に移動できるように前記シールハウジング（５８）に結合された付勢リング（７２）と、
前記付勢リング（７２）及び前記固定シールリング組立体（５６）の少なくとも一方に形成される第１の溝（１１６）内に配置されたシールリング（１０８）であって、前記２次シール面（８０）と２次シールを形成するよう構成されたシールリング（１０８）と、
前記付勢リング（７２）に形成される第２の溝（１１４）内に配置された第１の保護リング（１１０）であって、第１の保護リング（１１０）が、上流側面と下流側面とそれらの間に延在する半径方向内側面とを有していて、上流側面及び下流側面が共に、前記２次シール面（８０）と接触するように構成された鋭い先端部へとテーパが付けられた楔形断面形状を有しており、第１の保護リング（１１０）が、更に、第２の溝（１１４）の円筒形半径方向内側面から所定の距離で離隔した円筒形半径方向外側面を有していて、第２の溝（１１４）内で前記回転軸線（２４）の周りで回転することができる第１の保護リング（１１０）と
を備えており、前記付勢リング（７２）が前記回転軸線（２４）に沿って付勢されて、前記第１の保護リング（１１０）が前記２次シール面（８０）に沿って軸方向に移動して前記２次シール面（８０）の少なくとも一部からのデブリを除去できるように構成されている、シール組立体（５２）。
【請求項２】
当該シール組立体（５２）が、前記固定シールリング組立体（５６）に形成された第３の溝（１１８）内に配置された第２の保護リング（１１２）を更に備えており、第２の保護リング（１１２）が、前記２次シール面（８０）の少なくとも一部からデブリを除去できるように前記２次シール面（８０）に隣接して配置され、前記シールリング（１０８）が第１の保護リング（１１０）と第２の保護リング（１１２）との間に位置する、請求項１記載のシール組立体（５２）。
【請求項３】
前記第２の保護リング（１１２）が、前記回転軸線（２４）の周りで回転するように構成されている、請求項２記載のシール組立体（５２）。
【請求項４】
前記付勢リング（７２）と前記固定シールリング組立体（５６）とが一緒に前記第１の溝（１１６）を形成する、請求項１記載のシール組立体（５２）。
【請求項５】
前記付勢リング（７２）に結合された付勢部品（７０）を更に備えており、該付勢部品（７０）が、前記回転軸線（２４）に沿って前記付勢リング（７２）及び前記固定シールリング組立体（５６）を付勢して、前記第１の保護リング（１１０）及び前記固定シールリング組立体（５６）が前記回転軸線（２４）に沿って移動できるように構成される、請求項１記載のシール組立体（５２）。
【請求項６】
前記固定シールリング組立体（５６）が、主シールリング（９４）と対面関係で結合した支持リング（８４）を更に備えており、前記主シールリング（９４）が前記面シール面（７４）を有していて、前記支持リング（８４）が前記反対側の第２の面を有している、請求項１記載のシール組立体（５２）。
【請求項７】
前記固定シールリング組立体（５６）が、さらに該固定シールリング組立体（５６）に形成された少なくとも１つのアライメントスロット（６８）を更に備え、該少なくとも１つのアライメントスロット（６８）が、前記シールハウジング（５８）のそれぞれのアライメント部材（６４）と滑動可能に結合するよう構成されている、請求項１記載のシール組立体（５２）。
【請求項８】
前記第１の保護リング（１１０）が、前記２次シール面（８０）と接触してデブリの除去を可能にするよう構成された掃引エレメントを含む、請求項１記載のシール組立体（５２）。
【請求項９】
回転軸線（２４）を含む回転機械（１０）で使用するための面シール組立体（５２）であって、
半径方向に延在する第１の面シール面（６０）を有する回転シールリング（５４）と、
軸方向に延在する２次シール面（８０）を含むシールハウジング（５８）と、
前記シールハウジング（５８）に対して軸方向に移動できるように前記シールハウジング（５８）に結合された固定シールリング組立体であって、と、
前記シールハウジング（５８）に対して軸方向に移動できるように前記シールハウジング（５８）に結合された固定シールリング組立体（５６）であって、固定シールリング組立体（５６）が、主シールリング（９４）と対面関係で結合した支持リング（８４）を備えており、前記主シールリング（９４）が、前記第１の面シール面（６０）と面シールを形成するように構成された半径方向に延在する第２の面シール面（７４）を有している、固定シールリング組立体（５６）と、
前記付勢リング（７２）及び前記支持リング（８４）の少なくとも一方に形成される第１の溝（１１６）内に配置された２次シールリング（１０８）であって、前記２次シール面（８０）と２次シールを形成するよう構成された２次シールリング（１０８）と、
前記付勢リング（７２）に形成される第２の溝（１１４）内に配置された第１の保護リング（１１０）であって、第１の保護リング（１１０）が、上流側面と下流側面とそれらの間に延在する半径方向内側面とを有していて、上流側面及び下流側面が共に、前記２次シール面（８０）と接触するように構成された鋭い先端部へとテーパが付けられた楔形断面形状を有しており、第１の保護リング（１１０）が、更に、第２の溝（１１４）の円筒形半径方向内側面から所定の距離で離隔した円筒形半径方向外側面を有していて、第２の溝（１１４）内で前記回転軸線（２４）の周りで回転することができる第１の保護リング（１１０）と
を備えており、前記付勢リング（７２）が前記回転軸線（２４）に沿って付勢されて、前記第１の保護リング（１１０）が前記２次シール面（８０）に沿って軸方向に移動して前記２次シール面（８０）の少なくとも一部からのデブリを除去できるように構成されている、面シール組立体（５２）。
【請求項１０】
回転軸線（２４）を有する回転機械（１０）で使用するためのシール組立体（５２）を組み立てる方法であって、当該方法が、
軸方向に延在する２次シール面（８０）を含むシールハウジング（５８）を提供するステップと、
半径方向に延在する面シール面（７４）と反対側の第２の面とを有する固定シールリング組立体（５６）を、前記シールハウジング（５８）に対して軸方向に移動できるように前記シールハウジング（５８）に結合するステップと、
前記第２の面に隣接する付勢リング（７２）を、前記シールハウジング（５８）に対して軸方向に移動できるように前記シールハウジング（５８）に結合するステップと、
前記付勢リング（７２）及び前記固定シールリング組立体（５６）の少なくとも一方に形成される第１の溝（１１６）内にシールリング（１０８）を配置して、前記シールリング（１０８）と前記２次シール面（８０）とで２次シールを形成するステップと、
前記付勢リング（７２）に形成される第２の溝（１１４）内に、第１の保護リング（１１０）を配置するステップと
を含んでおり、
第１の保護リング（１１０）が、上流側面と下流側面とそれらの間に延在する半径方向内側面とを有していて、上流側面及び下流側面が共に、前記２次シール面（８０）と接触するように構成された鋭い先端部へとテーパが付けられた楔形断面形状を有しており、第１の保護リング（１１０）が、更に、第２の溝（１１４）の円筒形半径方向内側面から所定の距離で離隔した円筒形半径方向外側面を有していて、第２の溝（１１４）内で前記回転軸線（２４）の周りで第１の保護リング（１１０）回転することができ、前記付勢リング（７２）が前記回転軸線（２４）に沿って付勢されて、前記第１の保護リング（１１０）が前記２次シール面（８０）に沿って軸方向に移動して前記２次シール面（８０）の少なくとも一部からのデブリを除去できるように構成されている、方法。